(57)【要約】【課題】壁面に直付け可能な簡易な構造の後座板を使用したエアコン室外機の屋根置台を提供すること。【解決手段】後座板１と、前座板２と、エアコン室外機を載置する一対のベースフレーム３と、ベースフレーム３の前端部を前座板２に支持するための一対のステー４とを有する。ベースフレーム３は、エアコンを載置する載置部３１と、載置部３１の前後両端部に形成された、ベースフレーム３を取り付けるための脚部３２、３３とを有する。後座板１は、脚部３２を取り付ける、略鉛直に形成された取付壁部１１と、取付壁部１１の下端から屋根上に延設される支持壁部１２とを有する。取付壁部１１には、脚部３２をボルト止めするための長孔１３が長手方向の複数個所に形成されている。長孔１３は、ボルト３４の頭部の厚み以上の深さの窪み部１４の凹面部１５に形成されている。【選択図】図１
2007132535.tif 000002
【特許請求の範囲】
【請求項１】
屋根の高い側に配置されて、屋根の傾斜方向と直角の方向を長手方向として配置される後座板と、屋根の低い側に配置されて、屋根の傾斜方向と直角の方向を長手方向として配置される前座板と、後座板から水平方向に前座板側へ延びる一対のベースフレームと、各ベースフレームの前端部を前座板に支持するための一対のステーとを有し、
各ベースフレームは、エアコンを載置する水平に設置される載置部と、載置部の前後両端部に形成された、ベースフレームを取り付けるための脚部とを有し、
前記後座板は、一対のベースフレームの脚部を取り付ける、略鉛直に形成された取付壁部と、取付壁部の下端から屋根上に延設される支持壁部とを有するとともに、この取付壁部には、ベースフレームの後端の脚部をボルト止めするための長孔が長手方向の複数個所に形成され、
さらに、この長孔は、取付壁部の後面から前側に窪む凹面部に形成されている
ことを特徴とするエアコン室外機の屋根置台。
【請求項２】
前記凹面部は、前記ボルトの頭部の厚み分以上の深さで取付壁部の後面から前側に窪んでいることを特徴とする請求項１に記載のエアコン室外機の屋根置台。
【請求項３】
前記後座板は、支持壁部が取付壁部に対し鈍角をなすように一体的に形成されていることを特徴とする請求項１又は２に記載のエアコン室外機の屋根置台。
【請求項４】
前記ベースフレームは、平板壁と平板壁の両端から一体的に垂設された側壁とからなる断面コ字状の長尺部材を素材とし、コ字状の開放側を下方にして水平に配置したこの長尺部材の両端部を下方に折り曲げることにより、中央部の水平部分を載置部とし、両端の折り曲げた部分を脚部とし、
この脚部における平板壁が、前記後座板の取付壁部における前記凹面部の前面側に当接され、前記長孔に対しボルト止めされていることを特徴とする請求項１〜３の何れか１項に記載のエアコン室外機の屋根置台。
【請求項５】
前記後座板における凹面部は、鉛直面に対し上部が前方に傾斜する傾斜面に形成され、ベースフレーム後端の脚部の平板壁は、凹面部の傾斜角度に一致する角度に形成されていることを特徴とする請求項４に記載のエアコン室外機の屋根置台。
【請求項６】
前記ベースフレームの両端部の脚部は、載置部に対し同一の角度で折り曲げて形成されていることを特徴とする請求項５に記載のエアコン室外機の屋根置台。
【請求項７】
前記ベースフレームの両端部の脚部は、一方の脚部が他方の脚部より長く形成されていることを特徴とする請求項６に記載のエアコン室外機の屋根置台。
【請求項８】
前記後座板における凹面部は、左右にそれぞれ１個設けられ、各凹面部には、ベースフレームの後端の脚部をボルト止めするための長孔が複数個形成されていることを特徴とする請求項１〜７の何れか１項に記載のエアコン室外機の屋根置台。
【請求項９】
前記後座板及びベースフレームは、ベースフレームの後端の脚部が後座板の取付壁部に取り付けられたときに、この脚部の下端面が後座板の支持壁部で支持されるように形成されていることを特徴とする請求項１〜８の何れか１項に記載のエアコン室外機の屋根置台。
【請求項１０】
前記前座板及びステーは、ステーの下端部が前座板の取付壁部に取り付けられたときに、ステーの下端面が前座板の取付壁部で支持されるように形成されていることを特徴とする請求項１〜９の何れか１項に記載のエアコン室外機の屋根置台。
【請求項１１】
前記後座板と前座板とは同一部品であって、向きを変えて取り付けられていることを特徴とする請求項１〜１０の何れか１項に記載のエアコン室外機の屋根置台。
【発明の詳細な説明】
【技術分野】
【０００１】
本発明は、エアコン室外機の屋根置台に関し、特に、屋根の高い側に取り付けられる後座板を建物の壁面に対し直接取付可能とした構造に関する。
【背景技術】
【０００２】
従来のエアコン室外機の屋根置台として、エアコン室外機を載置するベースフレームの両端に脚部を設け、この脚部により、ベースフレームの後端部を後座板で支持するようにする一方、ベースフレームの前端部を、前座板に取り付けられたステーにより支持するように構成された屋根置台が知られている。例えば、後座板及び前座板として断面が略Ｌ字状の簡便な構造の屋根置台として、特許文献１に記載のものが知られている。これは図１２乃至図１４に記載したようなものである。
【０００３】
この従来の屋根置台は、図１２に示すように、傾斜する屋根Ｒ上に支持される座板として、屋根Ｒの高い側に配置される後座板１０１と、屋根Ｒの低い側に配置される前座板１０２とを有している。これら後座板１０１及び前座板１０２は、それぞれ屋根Ｒの傾斜方向と直角の方向を長手方向として配置されている。また、この屋根置台には後座板１０１から水平方向に前座板１０２側へ延びる一対のベースフレーム１０３と、各ベースフレーム１０３の前端部を前座板１０２に支持するための一対のステー１０４とが設けられている。
【０００４】
後座板１０１は、図１２〜図１４に示すように、鉛直に形成された取付壁部１１１と、取付壁部１１１の下端から略直角に折り曲げられた支持壁部１１２とから形成されている。なお、支持壁部１１２の先端はやや上方を向く形状に形成されている。取付壁部１１１には、後記するベースフレーム１０３の後端の脚部１３２をボルト止めするための長孔１１３が長手方向の両端部よりに形成されている。
【０００５】
ベースフレーム１０３は、図１４からよく分かるように、平板壁１０３ａと平板壁１０３ａの両端から一体的に垂設された側壁１０３ｂとからなる断面コ字状の長尺部材を素材とし、コ字状の開放側を下方にして水平に配置したこの長尺部材の両端部を下方へ略直角に折り曲げたものである。中央部の水平部分は、エアコン室外機を載置する載置部１３１として構成されており、両端の折り曲げた部分は、後座板１０１又はステー１０４への取付部を成す脚部１３２、１３３とし形成されている。ベースフレーム１０３の後端側の脚部１３２における平板壁１０３ａの下方には、後座板１０１の取付壁部１１１に対しボルト１１５で固定するためのボルト孔１３６が形成されている。また、ベースフレーム１０３の前端側の脚部１３３における平板壁１０３ａの下方には、ステー１０４にねじ止めするためのボルト孔１３７が形成されている。ベースフレーム１０３の後端部の取付は、図１３に示すように、ボルト１１５を取付壁部１１１の後面側から長孔１１３及びボルト孔１３６に挿通し、このボルト１１５にナット１１６を締結することにより行われている。
【０００６】
ステー１０４は、図１２及び図１４に示すように、脚部１３３の外側から被せることができる形状であって、上下に向かう長手方向に長孔１４１が形成されている。この長孔１４１にボルト１４２を挿通し、このボルト１４２の先端をさらに脚部１３３のボルト孔１３７に挿通し、ナット１４３を締結して固定することにより、ベースフレーム１０３の前端の高さを調節可能に形成されている。また、ステー１０４の下端にはステー１０４を前座板１０２に固定するためのボルト孔１４４が形成されている。
【０００７】
前座板１０２は、図１２及び図１４に示すように、後座板と同一の物を１８０度向きを変えて屋根上に設置したものであって、取付壁部１２１（取付壁部１１１に相当）と支持壁部１２２（支持壁部１１２に相当）を備え、取付壁部１２１には長孔１２３（長孔１１３に相当）が形成されている。ステー１０４の下端部の取付は、図１４に示すように、前座板１０２の取付壁部１２１の後面側にステー１０４の前面を沿わせるように配置し、前座板１０２の長孔１２３及びステー１０４のボルト孔１４４にボルト１４５を挿通し、これにナット１４６を締結することにより、ステー１０４を前座板１０２に取り付けている。
【０００８】
なお、図１２及び図１３に示すように、後座板１０１及び前座板１０２には屋根脚１５０が取り付けられている。屋根脚１５０は、後座板及び前座板１０２と屋根Ｒとの間に介在されることによりクッション的機能を果たすものである。また、図１２に示すように、この屋根置台は、一端が建築物の壁面を構成する縦柱１５２に固定された針金１５３により後座板１０１を支持することにより、前方にずり落ちないように保持されている。
【特許文献１】実公平３−８９０３号公報
【発明の開示】
【発明が解決しようとする課題】
【０００９】
上記のように構成された従来の屋根置台は、図１３に示すように、ベースフレーム１０３の後端の脚部１３２を後座板１０１に固定するボルト１１５の頭部が後座板１０１の取付壁部１１１の後面から突出しているために、後座板１０１を直接建物の縦柱１５２に直付けできないという問題があった。また、この従来例のように後座板１０１を取付壁部１１と支持壁部１１２とが凸角をなすように一体的に形成された簡易構造の場合に、後座板１０１の強度不足が懸念されていた。
【００１０】
本発明は、上記従来技術における問題点に鑑み成されたものであり、壁面に直付け可能な簡易な構造の後座板を使用したエアコン室外機の屋根置台を提供することを目的とする。
【課題を解決するための手段】
【００１１】
本発明に係るエアコン室外機の屋根置台は、屋根の高い側に配置されて、屋根の傾斜方向と直角の方向を長手方向として配置される後座板と、屋根の低い側に配置されて、屋根の傾斜方向と直角の方向を長手方向として配置される前座板と、後座板から水平方向に前座板側へ延びる一対のベースフレームと、各ベースフレームの前端部を前座板に支持するための一対のステーとを有し、各ベースフレームは、エアコンを載置する水平に設置される載置部と、載置部の前後両端部に形成された、ベースフレームを取り付けるための脚部とを有し、前記後座板は、一対のベースフレームの脚部を取り付ける、略鉛直に形成された取付壁部と、取付壁部の下端から屋根上に延設される支持壁部とを有するとともに、この取付壁部には、ベースフレームの後端の脚部をボルト止めするための長孔が長手方向の複数個所に形成され、さらに、この長孔は、取付壁部の後面から前側に窪む凹面部に形成されていることを特徴とする。なお、この明細書において「前」は屋根の低い側を言い、「後」は屋根の低い側を言い、「左右」は屋根の傾斜方向と直角の方向を言うものとする。
【００１２】
このように構成された本発明に係るエアコン室外機の屋根置台によれば、ベースフレームの後端の脚部を取り付けるボルトの頭部が取付壁部の凹面部に密着して取り付けられる。これによりボルトの頭部の大幅な吐出を防止することができるので、後座板を建築物の壁面に直付けすることができるようになる。また、このベースフレームの後端の脚部を取り付けるボルト挿通用の長孔の周囲が窪み部となるので、この窪み部が取付壁部のリブの機能を果たすことになる。したがって、後座板を取付壁部と支持壁部とからなる簡易な構成としても、強度を向上させることができる。
【００１３】
また、上記において、前記凹面部は、前記ボルトの頭部の厚み分以上の深さで取付壁部の後面から前側に窪んでいるのが好ましい。このようにすれば、ボルトの頭部を確実に窪みの中に収めることができるので、体裁よく後座板を建築物の壁面に直付けすることができる。
【００１４】
また、後座板は、支持壁部が取付壁部に対し鈍角をなすように一体的に形成したものとすることもできる。このようにすれば、支持壁部を屋根面に近付けることができるので、屋根脚を介して屋根に接する面積が大きくなり、支持壁部の耐久性向上に寄与することができる。
【００１５】
また、前記ベースフレームは、平板壁と平板壁の両端から一体的に垂設された側壁とからなる断面コ字状の長尺部材を素材とし、コ字状の開放側を下方にして水平に配置したこの長尺部材の両端部を下方に折り曲げることにより、中央部の水平部分を載置部とし、両端の折り曲げた部分を脚部とし、この脚部における平板壁が、前記後座板の取付壁部における凹面部の前面側に当接され、前記長孔に対しボルト止めされている構造とすることができる。このように構成することにより、脚部を含むベースフレームの構成が簡略化される。また、脚部に側壁が形成されたままとなるので、脚部の強度を向上させることができる。また、ベースフレーム後端の脚部の取付構造が簡略化される。
【００１６】
また、前記後座板における凹面部は、鉛直面に対し上部が前方に傾斜する傾斜面に形成され、前記ベースフレームにおける後座板の脚部の平板壁は、凹面部の傾斜角度に一致する角度に形成するのが好ましい。このようにすると、取付壁部の後面を鉛直に保持しながら、脚部を載置部に対し鈍角に形成することができるので、折り曲げ部における側壁の塑性変形を少なくすることができ加工が容易になる。
【００１７】
また、前記ベースフレームの両端部の脚部は、載置部に対し同一の角度で折り曲げて形成したものとすることができる。このように形成すれば、何れの脚部を後端の脚部としても、後座板の脚部の平板壁を凹面部の傾斜角度に一致させることができるので、ベースフレームの前後端を入れ換え可能な構造にすることができる。
【００１８】
特に、ベースフレームの両端部の脚部のうちの一方の脚部を他方の脚部より長く形成してもよく、このように形成することにより、強度を向上した簡便な構造としながら、ベースフレームの前後方向を変えることにより、適用可能な設置面の角度範囲を拡大することができる。
【００１９】
また、前記凹面部を、後座板の左右にそれぞれ１個設け、各凹面部にベースフレームの後端の脚部をボルト止めするための長孔を複数個形成するようにしてもよい。このようにすれば、リブの機能を果たす窪みが長く形成されるので、強度を向上させる効果が大きくなる。
【００２０】
また、ベースフレームの脚部が後座板の取付壁部に取り付けられたときに、脚部の下端面が後座板の支持壁部で支持されるように、後座板及びベースフレームを形成するのが好ましい。このようにすれば、後座板の取付壁部に作用する曲げ応力を極力少なくすることができるので、後座板の耐久性を向上させることができる。
【００２１】
また、ステーが前座板の取付壁部に取り付けられたときに、ステーの下端面が前座板の支持壁部で支持されるように、ステー及び前座板を形成するのが好ましい。このようにすれば、前座板の取付壁部に作用する曲げ応力を極力少なくすることができるので、前座板の耐久性を向上させることができる。
【００２２】
前記後座板と前座板とは同一部品であって、向きを変えて取り付けたものとすることができる。このようにすれば、後座板と前座板との共通部品化によりコストを軽減することができる。
【発明の効果】
【００２３】
本発明に係るエアコン室外機の屋根置台によれば、ベースフレームの後端の脚部を取り付けるボルトの頭部が取付壁部の凹面部を形成する窪みに納まるので、直付けする場合にこのボルトの頭部が邪魔になることがない。したがって、後座板を直付けすることができる。また、このベースフレームの後端の脚部を取り付けるボルト挿通用の長孔の周囲が窪みとなるので、この窪みが取付壁部のリブの機能を果たすことになる。したがって、後座板を取付壁部と支持壁部とからなる簡易な構成の簡易な構成としても、強度を向上させることができる。
【発明を実施するための最良の形態】
【００２４】
以下、本発明を具体化した実施の形態に係るエアコン室外機の屋根置台を先ず図１〜図８に基づいて説明する。
本実施の形態に係るエアコン室外機の屋根置台は、エアコン室外機を、長手方向が屋根の傾斜方向と直角の方向に設置するものである。このエアコン室外機の屋根置台は、図１の据付状態斜視図及び図２の側面図に示すように、傾斜する屋根Ｒ上に支持される座板として、屋根Ｒの高い側に配置される後座板１と、屋根Ｒの低い側に配置される前座板２とを有している。これら後座板１及び前座板２は、それぞれ屋根Ｒの傾斜方向と直角の方向を長手方向として配置されている。また、この屋根置台には後座板１から水平方向に前座板２側へ延びる一対のベースフレーム３と、各ベースフレーム３の前端部を前座板２に支持するための一対のステー４とが設けられている。
【００２５】
後座板１の構造は、図３〜図６に詳しく図示される。なお、図３はベースフレームの後端部を後座板に取り付ける部分の断面図であり、図４は後座板の平面図であり、図５は後座板の正面図であり、図６は後座板の左側面図である。これら図に示すように、後座板１は、略鉛直に形成された取付壁部１１と、取付壁部１１の下端から屋根Ｒ上に延設されるように一体的に形成された支持壁部１２とを有している。より具体的には、支持壁部１２は、取付壁部１１に対し鈍角を成すように取付壁部１１の下端部に連結され、その先端はやや上方を向く形状に形成されている。この支持壁部１２の取付壁部１１の下端部に連結される部分の連結角度αは、大きくし過ぎると後座板の強度が弱くなる虞があるので、屋根の傾斜角度が１１°〜３０°であることを考慮して約１００°とするのが好ましい。
【００２６】
取付壁部１１には、後記するベースフレーム３の後端の脚部３２をボルト止めするための長孔１３が長手方向の両側方に各３個形成されている。この左右の３個の長孔１３は、取付壁部１１の一部を前方に窪ませた窪み部１４の凹面部１５に形成されている。窪み部１４の深さは、後述するベースフレーム３の脚部３２を取り付けるボルト３４の頭部の厚みより大きくなる寸法に形成されている。凹面部１５は、鉛直面に対し上部が前方に傾斜する傾斜面に形成されている。
【００２７】
また、取付壁部１１には、後座板１を前方に滑らないように針金５１により引っ張られている。針金５１の一端は、壁面を構成する縦柱５２に打ち付けられたヒートン釘５３に固定され、他端が取付壁部に固定されるものである。小さい長孔１６はこの針金を固定するためのものであって、４個所に形成されている。また、後座板１の屋根瓦に接触する部分には、後座板１と屋根瓦との直接の接触による屋根瓦の損傷を防止するためにクッション機能を有する屋根脚１７が適宜取り付けられている。
【００２８】
前座板２は、後座板１と同一の部品であって、後座板１の向きを前後入れ変えて設置したものである。すなわち、前座板２は、図１、図２及び図３に示すように、略鉛直に形成された取付壁部２１（取付壁部１１に相当）と、取付壁部２１の下端から屋根Ｒ上に延設されるように一体的に形成された支持壁部２２（支持壁部１２に相当）とを有している。また、支持壁部２２は、取付壁部２１に対し鈍角を成すように取付壁部２１の下端部に連結され、その先端はやや上方を向く形状に形成されている。この支持壁部２２の取付壁部２１の下端部に連結される部分の相互間の角度（αに相当）は、後座板１の場合と同一であって、１０１°〜１２０℃に形成されている。
【００２９】
また、取付壁部２１には、後記するステー４の下端部をボルト止めするための長孔２３（長孔１３に相当）が長手方向の両端に近い位置に各３個形成されている。この左右の３個の長孔２３は、取付壁部２１の一部を前方に窪ませた窪み部２４（窪み部１４に相当）の凹面部２５（凹面部１５に相当）に形成されている。窪み部の２４の深さは、ベースフレーム３の脚部３２を取り付けるボルト３４の頭部の厚みより大きくなる寸法に形成されている。凹面部２５は、鉛直面に対し上部が後方に傾斜する傾斜面に形成されている。
【００３０】
また、取付壁部２１には、前座板２が後座板１として使用されるときに、この後座板１を建築物の壁面に吊るすための針金５１の一端を固定するための小さい長孔２６（長孔１６に相当）が４個所に形成されている。また、前座板２の屋根瓦に接触する部分には、前座板２と屋根瓦との直接の接触による屋根瓦の損傷を防止するためにクッション機能を有する屋根脚２７（屋根脚１７に相当）が適宜取り付けられている。
【００３１】
ベースフレーム３は、図１及び図２に示すように、エアコンを載置する水平に設置される載置部３１と、載置部３１の下方に形成された脚部３２、３３とを有している。このベースフレーム３は次のように形成されている。ベースフレーム３は、平板壁３ａと平板壁３ａの両端から一体的に垂設された側壁３ｂとからなる断面コ字状の長尺部材を素材としている。そして、ベースフレーム３は、この長尺部材のコ字状の開放側を下方として水平に配置し、その両端部を下方に折り曲げたものである。この折り曲げを容易にするために、折り曲げの角部における側壁３ｂに切欠３ｃ（図２参照）が設けられている。このようにして形成された中央部の水平部分が載置部３１であり、後端又は前端の折り曲げた部分が脚部３２、３３である。
【００３２】
また、脚部３２及び脚部３３の平板壁３ａは、載置部３１の平板壁３ａに対し、両者同一の鈍角となるように折り曲げられている。このように、両者の折り曲げ角度を同一とするのは、ベースフレームの何れか一方の端部を前端側とし他方を後端側とするように選択可能とするためである。また、脚部３２及び脚部３３における平板壁３ａの鉛直面を基準にした角度では、後座板１の凹面部１５の鉛直面に対する角度と一致するように形成されている。したがって、脚部３２における平板壁３ａは、組立状態において、図３に示すように、後座板１の取付壁部１１における凹面部１５の前面側表面に当接される。また、脚部３３が後端側に配置された場合も同様に取付壁部１１における凹面部１５の前面側表面に当接される。また、ベースフレーム３の脚部３２、３３は、一方が他方より長く形成されている。なお、図１から図８に図示した例では、短い方の脚部３２を後端側とし、長い方の脚部３３を前端側としている。
【００３３】
脚部３２の下方部には下端面から一定距離の位置にボルト孔３６が形成されている。このボルト孔３６は、ボルト３４により脚部３２を取付壁部１１に取り付けるためのものである。また、脚部３３においても、脚部３２と同様に、その下端面から一定距離の位置にボルト孔３７（図２参照）が形成されている。このボルト孔３７は、ボルト３５により脚部３３を後述するステー４に取り付けるためのものである。なお、前述のように、ベースフレーム３は、脚部３２が前端側となり、脚部３３が後端側となるように取り付け可能とするために、ボルト孔３６及びボルト孔３７の脚部３２、３３の下端面からの距離を同一としている。
【００３４】
このように構成されたベースフレームは、図１及び図２で図示された状態においては、次のように取り付けられている。ベースフレーム３の後端側においては、図１〜図３に示すように、脚部３２は、取付壁部１１の後面側から長孔１３及びボルト孔３６に挿通されるボルト３４に対しナット３８を締結することにより固定される。このとき脚部３２の下端面は、支持壁部１２上に当接され、支持壁部１２により支持される。また、ベースフレーム３の前端側では、図１、図２及び図７に示すように、脚部３３の平板壁３ａの後面側からボルト孔３７及びステー４の長孔４１に対しボルト３５が挿通され、このボルト３５に対しナット３９を締結することにより、脚部３３がステー４に固定されている。
【００３５】
ベースフレーム３の載置部３１の平板壁３ａには防振材５５を取り付けるための長孔５６が形成されている。この長孔５６に対し防振材５５が固定され、この防振材５５の上面にエアコン室外機が固定される。
【００３６】
ステー４は、図１及び図２に示すように、脚部３３の前側から被せることができる形状であって、上下に向かう長手方向に長孔４１が形成されている。そして、前述のように、この長孔４１に対し脚部３３に形成されたボルト孔３７からボルト３５を挿通し、このボルト３５にナット３９を締結して固定することにより、ベースフレーム３の前端の高さを調節可能に固定している。また、ステー４の下端にはステー４を前座板２に固定するためのボルト孔４４（図２及び図８参照）が形成されている。ステー４の下端部の取付は、図１、図２及び図８に示すように、前座板２の取付壁部２１の凹面部２５の後面側にステー４の前面を沿わせるように配置し、ステー４のボルト孔４４及び前座板２の長孔２３にボルト４５を挿通し、これにナット４６を締結することにより、ステー４を前座板２に取り付けている。なお、この取付状態において、ステー４の下端面は前座板２の支持壁部２２に当接して支持壁部２２により支持される。
【００３７】
次に、このように構成されたエアコン室外機の屋根置台の作用効果について説明する。
（１）ベースフレーム３の後端の脚部３２を取り付けるボルト３４の頭部が取付壁部１１の凹面部１５を形成する窪み部１４に納まるので、直付けする場合にこのボルト３４の頭部が邪魔になることがない。したがって、図９に示す取付例のように。後座板１を建築物の壁面を構成する縦柱５２に対しヒートン釘５３により直接取付け（直付け）することができる。
【００３８】
（２）また、ベースフレーム３の後端の脚部３２を取り付けるボルト挿通用の長孔１３の周囲が窪み部１４となるので、この窪み部１４が取付壁部１１のリブの機能を果たすことになる。したがって、後座板１を取付壁部１１と支持壁部１２とからなる簡易な構成としても、強度を向上させることができる。
【００３９】
（３）後座板１は、支持壁部１２が取付壁部１１に対し鈍角をなすように一体的に形成されているので、支持壁部１２を屋根Ｒに近付けることができるので、屋根脚１７を介して屋根Ｒに接する面積が大きくなり、支持壁部１２の耐久性向上に寄与することができる。
【００４０】
（４）ベースフレーム３は、平板壁３ａと平板壁３ａの両端から一体的に垂設された側壁３ｂとからなる断面コ字状の長尺部材を素材とし、コ字状の開放側を下方にして水平に配置したこの長尺部材の両端部を下方に折り曲げて形成したものであるので、構成が簡略化される。また、脚部３２に側壁３ｂが形成されたままとなるので、脚部３２の強度を向上させることができる。また、脚部３２の取付構造が簡略化される。
【００４１】
（５）後座板１の凹面部１５は、鉛直面に対し上部が前方に傾斜する傾斜面に形成されるとともに、脚部３２の平板壁３ａが凹面部１５の傾斜角度に一致する角度に形成されているので、取付壁部１１の後面を鉛直に保持しながら、脚部３２を載置部３１に対し鈍角に形成することができる。したがって、折り曲げ部における側壁３ｂの塑性変形を少なくすることができ加工が容易になる。
【００４２】
（６）また、この折り曲げ部における側壁３ｂには、切欠３ｃが形成されているので、折り曲げ部における側壁３ｂの塑性変形を、より一層少なくすることができ、より一層加工が容易になる。
【００４３】
（７）ベースフレーム３の両端部の脚部３２、３３は、載置部３１に対し同一の角度で折り曲げて形成されているので、何れの脚部３２、３３を後端の脚部としても、その脚部３２、３３の平板壁３ａを後座板１の凹面部１５の傾斜角度に一致させることができる。したがって、ベースフレーム３の前後端を入れ換えることが可能な構造にすることができる。
【００４４】
（８）また、ベースフレーム３の両端部の脚部３２、３３のうちの一方の脚部３３を他方の脚部３２より長く形成しているので、強度を向上した簡便な構造としながら、ベースフレーム３の前後方向を変えることにより、適用可能な設置面の角度範囲を拡大することができる。例えば、図１０に示すように、ベースフレーム３の脚部３３を後座板１側とし、脚部３２をステー４側とすることにより、基準面から高くした状態の平地用置台とすることができる。
【００４５】
（９）また、ステー４に対するベースフレーム３の前端側の高さを調節することができるので、屋根Ｒの傾斜角度に合わせて設置することができる。例えば、屋根の傾斜角度が大きい場合においては、図１１に示すように、脚部３３のステー４への取り付ける位置を高くすることにより対応することができる。
【００４６】
（１０）後座板１の取付壁部１１における左右に、凹面部１５をそれぞれ１個設け、各凹面部１５に、ベースフレーム３の後端の脚部３２をボルト止めするための長孔１３を複数個形成するようにしているので、凹面部１５の長さを大きくすることができる。これにより、取付壁部１１の強度を大きく向上させることができる。
【００４７】
（１１）ベースフレーム３の脚部３２が後座板１の取付壁部１１に取り付けられたときに、脚部３２の下端面が支持壁部１２で支持されるように、後座板１及びベースフレーム３が形成されているので、後座板１の取付壁部１１に作用する曲げ応力を極力少なくすることができる。したがって、後座板１の耐久性を向上させることができる。
【００４８】
（１２）ステー４が前座板２の取付壁部２１に取り付けられたときに、ステー４の下端面が支持壁部２２で支持されるように、前座板２及びベースフレーム３が形成されているので、前座板２の取付壁部２１に作用する曲げ応力を極力少なくすることができる。したがって、前座板２の耐久性を向上させることができる。
【００４９】
（１３）前座板２は、後座板１を前後逆方向にして設置したものであって、後座板１と前座板２とを同一部品としているので、後座板１と前座板２との共通部品化によりコストを軽減に貢献することができる。
【００５０】
以上説明した本実施の形態に係るエアコン室外機の屋根置台は、一例を示すものであり、本発明の範囲内において適宜変更できるものである。例えば、次のように変形することができる。
【００５１】
（１）本発明において、取付壁部１１の凹面部１５は、後座板１の後面を基準とするボルト３４の頭部の突出寸法を小さくして、後座板１を建築部の壁面に直付可能とする位置に設けられていればよい。したがって、その位置を決める窪み部１４の深さは、ボルト３４の頭部の厚さより大きくすることが好ましいが、それ以下の寸法としたものでもよい。
【００５２】
（２）前記実施の形態におけるベースフレーム３では、前後端に形成される脚部３２と脚部３３との長さを変えていたが、これに限るものではなく一定の長さとすることもできる。
【００５３】
（３）前記実施の形態における脚部３２、３３は載置部３１と一体的に形成されているが、載置部３１と別体に形成されたものとしてもよい。
（４）前記実施の形態においては、取付壁部１１、２１と支持壁部１２、２２との間に形成される角度が鈍角であるが、直角に形成したものでも実用可能である。
【００５４】
（５）前記実施の形態においては、凹面部１５、２５を形成する窪み部１４、２４が左右別個に１個ずつ形成されているが、この窪み部１４、２４は、長孔１３、２３ごとに形成してもよいし、また、左右の窪み部１４、２４を合体させたものでもよい。また、この合体の場合は、後座板１又は前座板２の長手方向全長に渡って窪みとするように形成することもできる。
【００５５】
（６）前記実施の形態においては、後座板１と前座板２とを共通化しているが、必ずしもそのようにする必要はない。この場合には後座板１における支持壁部１２及び前座板２における支持壁部２２の形状を変更して、支持壁部１２及び支持壁部２２の傾斜角度を屋根Ｒに対しより一層密接するようにしてもよい。
【００５６】
（７）前記実施の形態に係る屋根置台は、一般的には鋼板で製作されるが、その材質をアルミニウム等の軽金属材料としてもよい。また、この場合におい押出加工により基本的形状を製作するようにすることもできる。なお、押し出し成形とする場合は、前述の窪み部１４、２４を長手方向全長に亘る窪み部とすると好都合である。
【００５７】
（８）ベースフレーム３は断面コ字状に形成されているが、他の断面形状のものとしてもよい。例えば、断面Ｌ字状とすることもできる。同様にステー４もコ字状とする必要はない。例えば、図１２に示す従来のような形状とすることも可能である。
【産業上の利用可能性】
【００５８】
本発明に係るエアコン室外機の屋根置台は、屋根の上に設置されるエアコン室外機の置台として利用される。エアコン室外機は、家庭用、業務用を問わない。
【図面の簡単な説明】
【００５９】
【図１】本発明の実施の形態に係るエアコン室外機の屋根置台の据付状態の斜視図である。
【図２】同屋根置台の側面図である。
【図３】同屋根置台に係るベースフレームの後端を後座板に取り付ける部分の断面図である。
【図４】同屋根置台に係る後座板の平面図である。
【図５】同後座板の正面図である。
【図６】同後座板の左側面図ある。
【図７】同屋根置台に係るベースフレームの前端をステーに取り付ける部分の断面図である。
【図８】同屋根置台に係るステーの下端部を前座板に取り付ける部分の断面図である。
【図９】同屋根置台を直付した設置例図である。
【図１０】同屋根置台を平地置台とした設置例図である。
【図１１】同屋根置台を傾斜角度の大きい屋根に設置した設置例図である。
【図１２】従来例に係るエアコン室外機の屋根置台の据付状態の斜視図である。
【図１３】同屋根置台に係るベースフレームの後端を後座板に取り付ける部分の断面図である。
【図１４】同屋根置台の一部分解斜視図である。
【符号の説明】
【００６０】
Ｒ    屋根、１  後座板、２  前座板、３    ベースフレーム、３ａ    平板壁、３ｂ  側壁、４    ステー、１１    取付壁部、１２  支持壁部、１３    長孔、１５  凹面部、３１    載置部、３２    脚部、３３    脚部
【図１】
2007132535.tif 000003
【図２】
2007132535.tif 000004
【図３】
2007132535.tif 000005
【図４】
2007132535.tif 000006
【図５】
2007132535.tif 000007
【図６】
2007132535.tif 000008
【図７】
2007132535.tif 000009
【図８】
2007132535.tif 000010
【図９】
2007132535.tif 000011
【図１０】
2007132535.tif 000012
【図１１】
2007132535.tif 000013
【図１２】
2007132535.tif 000014
【図１３】
2007132535.tif 000015
【図１４】
2007132535.tif 000016